(57)【特許請求の範囲】
【請求項１】
ムラサキの根にアーバスキュラー菌根菌胞子を感染させて、苗を形成する接種育苗工程と、
該接種育苗工程で形成した苗を露地またはハウス内の土壌で栽培する栽培工程とを備え、
前記ムラサキのシコニンの含有量を増加させる
ムラサキの栽培方法。
【請求項２】
前記接種育苗工程は、アーバスキュラー菌根菌胞子を混合した培土にムラサキの種子を播種または苗を植える
請求項１に記載のムラサキの栽培方法。
【請求項３】
前記接種育苗工程は、底面に孔が形成された略円筒状のセルを複数有するセルトレイで苗を育成する
請求項１または請求項２に記載のムラサキの栽培方法。
【請求項４】
前記接種育苗工程は、前記培土にムラサキの種子を播種する
請求項２または請求項３に記載のムラサキの栽培方法。
【請求項５】
前記接種育苗工程は、前記培土に播種したムラサキの種子を湿潤状態に保持する
請求項４に記載のムラサキの栽培方法。
【請求項６】
前記接種育苗工程は、前記培土に播種したムラサキの種子を湿度９０％以上の環境下で２週間〜１か月間保持する
請求項５に記載のムラサキの栽培方法。
【請求項７】
前記接種育苗工程は、前記培土にムラサキの種子を播種して同培土に散水し、前記セルトレイをビニール袋に入れる
請求項４、請求項５または請求項６に記載のムラサキの栽培方法。
【請求項８】
前記接種育苗工程は、培土にムラサキの種子を播種し低温処理を施す
請求項１、請求項２、請求項３、請求項４、請求項５、請求項６または請求項７に記載のムラサキの栽培方法。
【請求項９】
前記低温処理は０〜１０℃の温度範囲である
請求項８に記載のムラサキの栽培方法。
【請求項１０】
前記低温処理は３〜７℃の温度範囲である
請求項９に記載のムラサキの栽培方法。
【請求項１１】
前記栽培工程は、孔が形成された底面を有する略円筒状の栽培用筒体に培土を充填したものに前記接種育苗工程で形成した苗を移植し、ハウス内の土壌で栽培する
請求項１、請求項２、請求項３、請求項４、請求項５、請求項６、請求項７、請求項８、請求項９または請求項１０に記載のムラサキの栽培方法。
【請求項１２】
前記栽培用筒体は天然パルプで形成された
請求項１１に記載のムラサキの栽培方法。
【請求項１３】
前記栽培工程は、露地の土壌に畝を形成し、該畝の上部をマルチシートで覆い、該マルチシートの上から前記接種育苗工程で形成した苗を移植して栽培する
請求項１、請求項２、請求項３、請求項４、請求項５、請求項６、請求項７、請求項８、請求項９または請求項１０に記載のムラサキの栽培方法。
【請求項１４】
前記マルチシートは白色のマルチシートである
請求項１３に記載のムラサキの栽培方法。
【請求項１５】
前記栽培工程は、ムラサキを植えた土壌に生える雑草の地上部を切断して雑草を除去する
請求項１、請求項２、請求項３、請求項４、請求項５、請求項６、請求項７、請求項８、請求項９、請求項１０、請求項１１、請求項１２、請求項１３または請求項１４に記載のムラサキの栽培方法。
【請求項１６】
培土に播種したムラサキの種子を湿度９０％以上の環境下で２週間〜１か月間保持する育苗工程を備える
ムラサキの栽培方法。
【請求項１７】
前記育苗工程は、０〜１０℃の温度範囲で行う
請求項１６に記載のムラサキの栽培方法。
【発明の詳細な説明】
【技術分野】
【０００１】
本発明はムラサキの栽培方法に関する。詳しくは、ムラサキの生存率を高め、かつ、有効成分の含有量を増加させることが可能なムラサキの栽培方法に係るものである。
【背景技術】
【０００２】
ムラサキ（Lithospermum erythrorhizon Sieb.et Zucc.）はムラサキ科の多年生草本である。ムラサキの根はシコン（紫根または硬紫根）と呼ばれ、シコンが有する紫色の色素を用いた染料や、漢方薬、医薬品、化粧品等の原料として使用されている。
【０００３】
シコンは古くから外傷、腫瘍、火傷、湿疹等に処方されてきた。シコンの有効成分は、シコニン（shikonin）と呼ばれるナフトキノン系赤色色素を母核としたその誘導体であるとされ、抗腫瘍作用や抗菌作用等を有する点が報告されている。なお、以下で表記する「シコニン」とは、シコニン誘導体またはシコニン類を含めたシコンの有効成分を意味するものである。
【０００４】
シコニンは、ムラサキの根のコルク層及び表皮細胞に蓄積する二次代謝産物であり、表皮細胞にシコニンの合成分泌サイトが存在すると考えられている。根の一部が損傷を受けると、その部位を覆うようにコルク層が発達し、シコニンが蓄積する。
【０００５】
このシコニンは、土壌中のバクテリアに対して抗菌性を示す生理活性物質である。ムラサキの根端部は細胞が若く、細胞壁の膜厚化が進んでいないため、土壌中のバクテリア等の攻撃を受けやすい。
【０００６】
そこで、バクテリア等から損傷を受けた根が、シコニンを分泌して抗菌性を示すことで、根端部の防御機能として作用する。そのため、根端部表皮から分泌されるシコニンはファイトアレキシンの一種とも考えられている。
【０００７】
ムラサキは、わが国では絶滅危惧種ＩＢに指定され、セイヨウムラサキL.officinalis L.との交配も進んでおり、純系ムラサキは激減している。そのため、シコンの供給は、中国や韓国等からの野生品の輸入に依存しているのが現状である。
【０００８】
しかしながら、中国国内での需要増加、価格高騰及び野生資源の減少等が原因で、持続的なシコンの入手が困難になりつつある。これを受けて、日本国内でのムラサキ栽培を行い、シコンを確保することが試みられている。
【０００９】
ここで、ムラサキはウイルス等の病害に弱く、根腐れを起こしやすいため生存率が低く、栽培が非常に難しいことが問題となっている。また、露地栽培したムラサキはシコニンの含有量が低く、有効成分を充分量得られないものとなっている。
【００１０】
更に、ムラサキは生育環境や栽培条件の影響を受けやすい植物体であり、環境等により形態やシコニン含有量が変化してしまう。そのため、生存率を高め、一定量以上のシコニンを含有したシコンを再現性高く得られる栽培方法の確立が求められている。
【００１１】
こうしたなか、ムラサキの種子からの発芽率を高め、順調な生育を試みた栽培方法が提案されており、例えば、特許文献１に記載のムラサキの栽培方法が存在する。
【００１２】
ここで、特許文献１には、有底筒状の育苗容器に砂を入れ、その砂の上にムラサキの種子を数粒撒き、低温処理を施す栽培方法が記載されている。この方法では、育苗容器でムラサキを発芽させ、その後、育苗容器から農地に移植し、移植後は農地にて育成、開花させて種子を採取する方法となっている。
【先行技術文献】
【特許文献】
【００１３】
【特許文献１】特開２０１１−２１７６７５号公報
【発明の概要】
【発明が解決しようとする課題】
【００１４】
しかしながら、特許文献１に記載の栽培方法は、農地に移植した後の工程において、生存率を高めることについて特に言及がなされていない。ムラサキは発芽率を高めることも重要であるが、一年生または二年生の植物体を栽培するための土壌や環境も重要であると考えられる。
【００１５】
発明者自身も経験があるが、育苗したムラサキを農地に移植し、露地栽培またはハウス栽培を行った場合に、病害の影響を受けることがある。例えば、ムラサキの地上部の葉や茎に対して、Pytophthora属菌が感染するムラサキ疫病や、糸状菌が感染する白絹病が発生し、ムラサキが枯死してしまう。
【００１６】
既知のムラサキの栽培方法には、これらの病害からムラサキを保護する効率的な方法はほとんど存在していない。また、染料用途以外のムラサキの栽培に対しては、農薬取締法上、使用可能な登録農薬が存在しないため、病害に対応しうる農薬を使用できない問題もある。
【００１７】
また、土壌中に一般的に存在するFusarium属菌がムラサキの根に侵入し、根の組織を腐敗させることがある。また、ムラサキの根は水分の影響で根腐れを起こしやすく、この点も生存率を下げる要因となっている。
【００１８】
上記のようなムラサキに対する病害菌や水分の調整についても、従来のムラサキの栽培方法には、充分な対処がなされていないものとなっている。
【００１９】
更に、特許文献１に記載の栽培方法では、ムラサキの種子の発芽率が高まることが記載されているが、具体的にどの程度の発芽率が達成しうるかが不明である。発芽率を高め、栽培全体の収量を向上させる点にも改良の余地があると考えられた。
【００２０】
本発明は、以上の点に鑑みて創案されたものであり、生存率を高め、かつ、有効成分の含有量を増加させることが可能なムラサキの栽培方法を提供することを目的とする。
【課題を解決するための手段】
【００２１】
上記の目的を達成するために、本発明のムラサキの栽培方法は、ムラサキの根にアーバスキュラー菌根菌胞子を感染させて、苗を形成する接種育苗工程と、該接種育苗工程で形成した苗を露地またはハウス内の土壌で栽培する栽培工程とを備える。
【００２２】
ここで、ムラサキの根にアーバスキュラー菌根菌胞子を感染させることによって、菌根を形成し、ムラサキの生存率を高めることができる。具体的には、土壌中のリン酸や亜鉛等のミネラルといった植物体の生育に必要な成分がアーバスキュラー菌根菌の菌糸を通して根に運ばれ、成分の吸収を促進させることができる。また、病害抵抗性や水分ストレスへの耐性を向上させることができる。また、ムラサキの根にアーバスキュラー菌根菌の菌糸が侵入する際に、根の表皮細胞からシコニンが分泌されることが推測され、シコニンの含有量を高めることができる。なお、菌根とは、菌類が植物の根に侵入して形成する特有の構造を持った菌類と植物根の共生体を意味するものである。
【００２３】
また、接種育苗工程で形成した苗を露地またはハウス内の土壌で栽培する栽培工程によって、ムラサキの苗を一年生または二年生の植物体に成長させることができる。
【００２４】
また、接種育苗工程で、アーバスキュラー菌根菌胞子を混合した培土にムラサキの種子を播種または苗を植える場合には、培土の中でムラサキの根と胞子を接触させ、感染させることが可能となる。
【００２５】
また、接種育苗工程で、底面に孔が形成された略円筒状のセルを複数有するセルトレイで苗を育成する場合には、複数の苗を大量に形成することが可能となり、効率よく栽培することが可能となる。また、培土とセルトレイの内側面の間に根が伸長し、その後、ムラサキの根を複数本に分岐させやすいものとなる。この結果、分岐した根が肥大化し、コルク層が発達することで根の表面積が増え、収穫時のシコニンの含有量を高めることができる。
【００２６】
また、接種育苗工程で、培土にムラサキの種子を播種する場合には、ムラサキの根とアーバスキュラー菌根菌胞子の接触する効率がより高まることとなり、菌根の形成を促すことができる。
【００２７】
また、接種育苗工程で、アーバスキュラー菌根菌胞子を混合した培土に播種したムラサキの種子を湿潤状態に保持する場合には、種子の発芽率を高めることが可能となる。
【００２８】
また、接種育苗工程で、アーバスキュラー菌根菌胞子を混合した培土に播種したムラサキの種子を湿度９０％以上の環境下で２週間〜１か月間保持する場合には、より種子の発芽率を高めることができる。
【００２９】
また、接種育苗工程は、アーバスキュラー菌根菌胞子を混合した培土にムラサキの種子を播種して培土に散水し、セルトレイをビニール袋に入れる場合には、より確実に種子を湿潤環境下におくものとなり、より種子の発芽率を高めることができる。
【００３０】
また、接種育苗工程で、培土にムラサキの種子を播種し低温処理を施す場合には、ムラサキの発芽率を高めることができる。
【００３１】
低温処理は０〜１０℃の温度範囲である場合には、より種子の発芽率を高めることができる。
【００３２】
ここで、低温処理が０℃未満で施された場合には、種子が凍って発芽率が下がってしまう現象が生じるものとなる。一方、低温処理が１０℃を超えて施された場合には、低温の影響が少なくなり、種子の発芽率を高めることができないものとなる。
【００３３】
低温処理は３〜７℃の温度範囲である場合には、更に一層、種子の発芽率を高めることができる。
【００３４】
また、栽培工程で、孔が形成された底面を有する略円筒状の栽培用筒体に培土を充填したものに接種育苗工程で形成した苗を移植し、ハウス内の土壌で栽培する場合には、水分を調節してムラサキを生育させることが可能となる。即ち、栽培用筒とハウスによって乾燥した状態を作りやすくなり、生育に適した水分を与えやすいものとなる。この結果、水分量に起因する枯死が生じにくくすることができる。
【００３５】
また、栽培用筒が天然パルプで形成された場合には、筒内部での通気性が確保されやすくなり、水分が溜まることによる根腐れが生じにくいものとなる。例えば、天然パルプとして、牛乳パックの原紙を使用することで、塩ビ等の樹脂で形成した栽培用筒に比べ、より通気性の高いものとなる。
【００３６】
また、栽培工程で、露地の土壌に畝を形成し、畝の上部をマルチシートで覆い、マルチシートの上から接種育苗工程で形成した苗を移植して栽培する場合には、雨による植物体への影響を減らことができる。例えば、畝内部への水分の浸透量を減らし、畝内部を適度な水分環境にすることができる。また、この結果、水溶性のシコニンの雨水への溶出を低減させることが可能となる。更に、地表面での雨水のはねかえりによるムラサキの地上部への損傷や、雨水に起因した病害の発生を少なくすることができる。
【００３７】
また、マルチシートが白色のマルチシートである場合には、日照により土壌温度が高くなりすぎることを抑えることができる。即ち、暑さに弱いムラサキを高温による温度障害から保護しやすいものとなる。
【００３８】
また、栽培工程で、ムラサキを植えた土壌に生える雑草の地上部を切断して雑草を除去する場合には、ムラサキの根に損傷が生じにくいものとなる。即ち、雑草を根ごと引き抜く除去方法に比して、雑草の根の近傍に位置するムラサキの根が傷つかなくなり、生存率を高めることができる。
【００３９】
また、上記の目的を達成するために、本発明のムラサキの栽培方法は、培土に播種したムラサキの種子を湿度９０％以上の環境下で２週間〜１か月間保持する育苗工程を備える。
【００４０】
ここで、培土に播種したムラサキの種子を湿度９０％以上の環境下で保持する場合には、種子の発芽率を高めることが可能となる。
【００４１】
また、育苗工程を、０〜１０℃の温度範囲で行う場合には、より一層ムラサキの発芽率を高めることができる。
【００４２】
ここで、低温処理が０℃未満で施された場合には、種子が凍って発芽率が下がってしまう現象が生じるものとなる。一方、低温処理が１０℃を超えて施された場合には、低温の影響が少なくなり、種子の発芽率を高めることができないものとなる。
【発明の効果】
【００４３】
本発明に係るムラサキの栽培方法は、ムラサキの生存率を高め、かつ、有効成分の含有量を増加させることが可能なものとなっている。
【図面の簡単な説明】
【００４４】
【図１】セルトレイを示す概略図（ａ）及び、セルトレイ成型苗を示す概略図（ｂ）である。
【図２】栽培用筒の構造を示す概略図である。
【図３】ハウス内での栽培用筒を用いた栽培を示す概略図である。
【図４】栽培用筒の内部及びムラサキの根部を示す概略図である。
【図５】栽培用ポットを示す概略図（ａ）及び、ポット苗を示す概略図（ｂ）である。
【図６】感染根観察方法のイメージを示す概略図である。
【発明を実施するための形態】
【００４５】
以下、本発明の実施の形態について図面を参照しながら説明し、本発明の理解に供する。なお、本発明の内容は以下に示す実施の形態の内容に限定されるものではなく、ここに示すものはあくまで本発明の内容を一例である。
【００４６】
本発明の第１の実施の形態であるムラサキの栽培方法は、ムラサキの種子を播種する播種工程と、苗を育てる育苗工程と、栽培用筒体でムラサキを育てる筒栽培工程を備える。
【００４７】
ムラサキの種子を播種する播種工程では、アーバスキュラー菌根菌胞子を混合させた培土を使用する。混合するアーバスキュラー菌根菌胞子は、市販の微生物資材を利用することができる。
【００４８】
この微生物資材は、ＶＡ菌根菌資材とも呼ばれ、アーバスキュラー菌根菌胞子を含むものである。ここでは、単独のＶＡ菌根菌資材の利用だけでなく、複数のＶＡ菌根菌資材を混合して、複数種のアーバスキュラー菌根菌胞子が混在するものとしてもよい。
【００４９】
また、培土に対するＶＡ菌根菌資材の混合量は、そのＶＡ菌根菌資材で推奨される使用量に準じて使用する。例えば、培土１Ｌあたり２０ｇといった形で使用する。使用量は適宜、変更することができる。
【００５０】
ＶＡ菌根菌資材の一例として、Ｄｒキンコン（登録商標：出光興産株式会社製）、ＣＫ−１００（商品名：出光興産株式会社製）、セラキンコン（登録商標：セントラル硝子株式会社製）、ＶＡ２００（商品名：株式会社白崎コーポレーション社製）、ＢＩＣＯＭ  ＶＡ（商品名：株式会社バイコム社製）等が挙げられる。
【００５１】
また、アーバスキュラー菌根菌は、グロムス門Glomeromycotaに属する１５０種程度の菌類で構成されると言われているが、本栽培方法においては、ムラサキの根との間にアーバスキュラー菌根を形成可能な菌種であれば、特に限定されるものではない。
【００５２】
播種工程では、播種前に微酸性電解水で種子を洗浄し、種子表面に殺菌処理を施す。また、図１に示すように、７２穴〜２００穴セルトレイ１に培土を充填し、各セルに１粒〜数粒のムラサキの種子を播種する。また、種子は培土に深さ１ｃｍ未満の孔を開けて播種する。
【００５３】
ここで、必ずしも、２００穴セルトレイにムラサキの種子を播種する必要はない。例えば、栽培ポットに培土を充填して、播種を行うことができる。また、その他のサイズのセルトレイを採用することもできる。
【００５４】
また、必ずしも、播種工程に用いる培土にアーバスキュラー菌根菌胞子を混合させる必要はなく、ムラサキの苗を育苗する培土に胞子を混合させる方法も採用しうる。但し、発芽前の培土に胞子が存在し、菌根を形成する確率が高まる点から、播種工程に用いる培土にアーバスキュラー菌根菌胞子を混合させることが好ましい。
【００５５】
また、必ずしも、種子を播種する孔の深さが１ｃｍ未満とされる必要はない。但し、発芽時の培土上に芽が出る動きを阻害しにくく、発芽率を高めやすくなる点から、種子を播種する孔の深さが１ｃｍ未満とされることが好ましい。
【００５６】
第１の実施の形態であるムラサキの栽培方法では、播種後の種子を湿潤環境下におき、５℃前後の低温で一定期間保管した後に、種子を１５〜２５℃の温度下で育てる。
【００５７】
播種した箇所に覆土して、再度、培土に水をかけて、セルトレイをビニール袋に密閉封入する。ビニール袋に封入したセルトレイを５℃に設定した冷蔵庫に入れ、その状態で２週間から１か月の期間、低温で保管する。ビニール袋内は、湿度９０％以上の湿潤状態が保たれるものとなる。
【００５８】
低温での保管後、セルトレイをビニール袋より出し、１５〜２５℃の温度環境下のハウスにてセルトレイを保管する。種子はハウスへの移動後１０日〜１か月程の期間で発芽する。ハウス移動後は、種子の表面が乾燥しない程度の頻度で灌水を行う。例えば、１日おき程度の頻度である。発芽したムラサキの苗はそのままセルトレイ上で１か月〜２か月の期間育苗する。
【００５９】
ここで、必ずしも、ムラサキの種子を培土に播種した後に、覆土する必要はない。但し、低温処理後にセルトレイをハウスへ移した後に、ムラサキの根が乾燥することを防ぎやすくなる点から、ムラサキの種子を培土に播種した後に、覆土することが好ましい。
【００６０】
また、必ずしも、低温処理の際にセルトレイが湿度９０％以上の湿潤状態に保管される必要はない。但し、種子の乾燥を防ぎ、種子の発芽率をより一層高めやすくなる点から、低温処理の際にセルトレイが湿度９０％以上の湿潤状態に保管されることが好ましい。
【００６１】
また、必ずしも、ビニール袋に封入したセルトレイを５℃に設定した冷蔵庫に入れる必要はない。例えば、セルトレイをビニール袋に入れず、湿度管理が可能なインキュベーター内にて低温及び湿潤環境に置く方法も採用しうる。
【００６２】
また、必ずしも、低温処理後のセルトレイがハウスに移される必要はない。例えば、１５〜２５℃の温度環境にある恒温槽にセルトレイを入れて保管してもよい。
【００６３】
また、ハウス移動後に種子が１０日〜１か月程度で発芽するという点の期間はあくまで目安である。ハウス移動後に１か月を超えて発芽する場合もあり、この点を除く趣旨ではない。
【００６４】
また、必ずしも低温処理が５℃前後の温度に限定される必要はない。例えば、０〜１０℃の範囲内であれば、低温処理を行わない場合の栽培方法に比べ、発芽率を向上させることができる。また、３〜７℃の温度範囲であれば、より一層、発芽率を高めることが可能となる。低温処理を施すことで、休眠打破を促し、種子の発芽を促すことが可能となる。
【００６５】
第１の実施の形態では、培土に播種したムラサキの種子を湿潤状態にて保管することで、種子の発芽率を高めることができる。
【００６６】
第１の実施の形態では、播種後の種子に低温処理を施すことで、種子の発芽率を高めることができる。
【００６７】
更に、第１の実施の形態の育苗工程では、セルトレイ内でムラサキを育苗してセル成型苗を形成する。セルトレイ内で発芽したムラサキをハウス内にて引き続き一定期間育てる。灌水を行いつつ、ムラサキの苗を大きくし、セルトレイの底面の孔からムラサキの根が貫通して出る状態まで育てる。図１（ｂ）にセルトレイ内で育苗したセル成型苗２を示す。
【００６８】
また、育苗工程では、ムラサキの苗の生育に伴い、ムラサキの根が根鉢を形成する。ムラサキの根はセルトレイの内壁面と培土の間に位置して伸長し、培土の外周面を抱え込む形状となる。
【００６９】
セルトレイや栽培ポットで苗を生産する場合、ムラサキの主根がセルトレイや栽培ポットの底面の孔に達して空気に触れ、根の先端部が乾燥し、その生長が止まる。これにより、ムラサキの根部から二次根や三次根の側根が発達し、根が分岐して根鉢が形成されるものとなる。その後、根が肥大化し、コルク層が発達してムラサキの根部の表面積が大きくなり、一植物体が含有するシコニンの含有量を増加させることができる。
【００７０】
筒栽培工程では、ムラサキのセル成型苗を栽培用筒体に移植し、栽培用筒内で栽培を継続する。
【００７１】
栽培用筒体は、図２に示すような栽培用筒３である。栽培用筒３は、内側が筒状で培土を充填する筒本体４、筒本体４の一端側を閉塞し、複数の孔５を有する底面キャップ６で構成される。また、筒本体４の底面キャップ６と接する端部の外周には、筒本体４を立てた状態を支持する補助筒部７が配置される。
【００７２】
また、栽培用筒３は、高さ５０ｃｍ〜８０ｃｍのものが使用される。また、底面キャップ６の孔５は直径５ｍｍ〜１０ｍｍとなっている。孔５は灌水により筒本体４の内部の培土に浸透する水分の排水孔と、伸長したムラサキの根部を通す孔の役目を果たすものとなる。
【００７３】
図３に示すように、ムラサキのセル成型苗を、培土を充填した筒本体４に移植し、栽培用筒３をハウス８内の土壌に設けた畝９に立設する。筒本体４は天然パルプの一種である針葉樹さらしパルプ（ＮＢＫＰ）で形成されている。
【００７４】
ここで、必ずしも、筒本体４が針葉樹さらしパルプで形成される必要はなく、例えば、塩化ビニル樹脂で形成することもできる。但し、適度な通気性を有し、栽培用筒の内部に充填した培土を乾燥させやすくなる点から、筒本体４が針葉樹さらしパルプで形成されることが好ましい。
【００７５】
また、栽培用筒３には、点滴灌水（図示せず）によって灌水を行う。点滴灌水を行うことで、栽培株全体の潅水量を均一にし、潅水ムラや過潅水を低減させ、栽培を安定化させることができる。
【００７６】
栽培用筒３への移植後は、ムラサキの根が充分に活着するまで１〜２日毎に灌水する。その後は地上部の状態を確認しながら、１〜５日毎に灌水を継続して行う。
【００７７】
また、図４に示すように、筒本体４の内部でムラサキの根１０は、底面方向に伸長していくものとなる。栽培用筒３の内部で筒の底面キャップ６側に伸長したムラサキの根１０は、底面キャップ６の孔５の部分を通過し、更に、畝９の土壌内部に伸長するものとなる。
【００７８】
筒栽培工程では、ハウス内で栽培を継続して行い、一年生または二年生のムラサキを生産する。例えば、一年生のムラサキであれば、４月中旬にセル成型苗を栽培用筒体に移植し、栽培用筒３で１０月まで栽培したものを収穫することができる。また、二年生のムラサキであれば、更に、栽培用筒で栽培を継続し、一年後の植物体を収穫するものとなる。
【００７９】
続いて、本発明の第２の実施の形態であるムラサキの栽培方法について説明する。
【００８０】
第２の実施の形態では、播種工程及び育苗工程については、第１の実施の形態と同様であり、内容の説明は省略する。第２の実施の形態では、露地栽培工程を有するものとなっている。
【００８１】
露地栽培工程では、セル成型苗を図５（ａ）に示す栽培用ポットに鉢上げをして、露地圃場へ移植する。栽培用ポットは、例えば、直径６ｃｍのポット１１や、直径７．５ｃｍのポット１２等を使用する。なお、図５（ｂ）には、ポットで育てたポット苗１３を示している。
【００８２】
また、露地圃場には畝を形成し、その畝の表面はポリエチレン製の白マルチで覆われている。白マルチには、ムラサキの地上部を通す孔が設けられ、ムラサキの根元の土を覆うものとなる。
【００８３】
白マルチで畝の表面が覆われたことで、雨の畝内部への過剰な浸透が抑制される。これにより、畝の内部に適度な水分環境を創出しやすくなり、ムラサキの根に対して水分過多の状態となることを防ぎ、根腐れが生じにくいものとなる。また、ムラサキの根の表面に蓄積したシコニンが水分に溶出して、蓄積量が減少しにくいものとなる。
【００８４】
また、白マルチは太陽光の日照を反射するため、畝内部の温度を適度に保つ役割を果たす。この結果、暑さに弱いムラサキが高温の影響で枯死する確率を減らすことができるものとなっている。
【００８５】
第２の実施の形態でも、露地圃場への移植後に一年生または二年生のムラサキの植物体を栽培することができる。
【００８６】
続いて、本発明の第３の実施の形態であるムラサキの栽培方法について説明する。
【００８７】
第３の実施の形態では、栽培工程は第１の実施の形態及び第２の実施の形態と同様に行うものであり、内容の説明は省略する。第３の実施の形態では、播種工程及び育苗工程が上述した第１の実施の形態及び第２の実施の形態と異なるものとなっている。
【００８８】
第３の実施の形態のムラサキの種子を播種する播種工程では、培土にムラサキの種子を播種するが、第１の実施の形態及び第２の実施の形態とは異なり、アーバスキュラー菌根菌胞子を利用しない。
【００８９】
播種工程では、播種前に微酸性電解水で種子を洗浄し、種子表面に殺菌処理を施す。また、図１に示すように、７２穴〜２００穴セルトレイ１に培土を充填し、各セルに１粒〜数粒のムラサキの種子を播種する。また、種子は培土に深さ１ｃｍ未満の孔を開けて播種する。
【００９０】
ここで、必ずしも、２００穴セルトレイにムラサキの種子を播種する必要はない。例えば、栽培ポットに培土を充填して、播種を行うことができる。また、その他のサイズのセルトレイを採用することもできる。
【００９１】
また、必ずしも、種子を播種する孔の深さが１ｃｍ未満とされる必要はない。但し、発芽時の培土上に芽が出る動きを阻害しにくく、発芽率を高めやすくなる点から、種子を播種する孔の深さが１ｃｍ未満とされることが好ましい。
【００９２】
第３の実施の形態であるムラサキの栽培方法では、播種後の種子を湿潤環境下におき、５℃前後の低温で一定期間保管した後に、種子を１５〜２５℃の温度下で育てる。
【００９３】
播種した箇所に覆土して、再度、培土に水をかけて、セルトレイをビニール袋に密閉封入する。ビニール袋に封入したセルトレイを５℃に設定した冷蔵庫に入れ、その状態で２週間から１か月の期間、低温で保管する。ビニール袋内は、湿度９０％以上の湿潤状態が保たれるものとなる。
【００９４】
低温での保管後、セルトレイをビニール袋より出し、１５〜２５℃の温度環境下のハウスにてセルトレイを保管する。種子はハウスへの移動後１０日〜１か月程の期間で発芽する。ハウス移動後は、種子の表面が乾燥しない程度の頻度で灌水を行う。例えば、１日おき程度の頻度である。発芽したムラサキの苗はそのままセルトレイ上で１か月〜２か月の期間育苗する。
【００９５】
ここで、必ずしも、ムラサキの種子を培土に播種した後に、覆土する必要はない。但し、低温処理後にセルトレイをハウスへ移した後に、ムラサキの根が乾燥することを防ぎやすくなる点から、ムラサキの種子を培土に播種した後に、覆土することが好ましい。
【００９６】
また、必ずしも、低温処理の際にセルトレイが湿度９０％以上の湿潤状態に保管される必要はない。但し、種子の乾燥を防ぎ、種子の発芽率をより一層高めやすくなる点から、低温処理の際にセルトレイが湿度９０％以上の湿潤状態に保管されることが好ましい。
【００９７】
また、必ずしも、ビニール袋に封入したセルトレイを５℃に設定した冷蔵庫に入れる必要はない。例えば、セルトレイをビニール袋に入れず、湿度管理が可能なインキュベーター内にて低温及び湿潤環境に置く方法も採用しうる。
【００９８】
また、必ずしも、低温処理後のセルトレイがハウスに移される必要はない。例えば、１５〜２５℃の温度環境にある恒温槽にセルトレイを入れて保管してもよい。
【００９９】
また、ハウス移動後に種子が１０日〜１か月程度で発芽するという点の期間はあくまで目安である。ハウス移動後に１か月を超えて発芽する場合もあり、この点を除く趣旨ではない。
【０１００】
また、必ずしも低温処理が５℃前後の温度に限定される必要はない。例えば、０〜１０℃の範囲内であれば、低温処理を行わない場合の栽培方法に比べ、発芽率を向上させることができる。また、３〜７℃の温度範囲であれば、より一層、発芽率を高めることが可能となる。低温処理を施すことで、休眠打破を促し、種子の発芽を促すことが可能となる。
【０１０１】
第３の実施の形態では、培土に播種したムラサキの種子を湿潤状態にて保管することで、種子の発芽率を高めることができる。
【０１０２】
第３の実施の形態では、播種後の種子に低温処理を施すことで、種子の発芽率を高めることができる。
【０１０３】
更に、第３の実施の形態の育苗工程では、セルトレイ内でムラサキを育苗してセル成型苗を形成する。セルトレイ内で発芽したムラサキをハウス内にて引き続き一定期間育てる。灌水を行いつつ、ムラサキの苗を大きくし、セルトレイの底面の孔からムラサキの根が貫通して出る状態まで育てる。図１（ｂ）にセルトレイ内で育苗したセル成型苗２を示す。
【０１０４】
また、育苗工程では、ムラサキの苗の生育に伴い、ムラサキの根が根鉢を形成する。ムラサキの根はセルトレイの内壁面と培土の間に位置して伸長し、培土の外周面を抱え込む形状となる。
【０１０５】
セルトレイや栽培ポットで苗を生産する場合、ムラサキの主根がセルトレイや栽培ポットの底面の孔に達して空気に触れ、根の先端部が乾燥し、その生長が止まる。これにより、ムラサキの根部から二次根や三次根の側根が発達し、根が分岐して根鉢が形成されるものとなる。その後、根が肥大化し、コルク層が発達してムラサキの根部の表面積が大きくなり、一植物体が含有するシコニンの含有量を増加させることができる。
【０１０６】
この後の栽培工程は、上述した第１の実施の形態における筒栽培や、第２の実施の形態の露地栽培を採用することができる。
【０１０７】
また、本発明は以下に示す第４の実施の形態も採用しうる。
【０１０８】
第４の実施の形態では、播種工程において、アーバスキュラー菌根菌胞子を混合させた培土を使用する。混合するアーバスキュラー菌根菌胞子は、市販の微生物資材を利用することができる。
【０１０９】
播種工程では、播種前に微酸性電解水で種子を洗浄し、種子表面に殺菌処理を施す。また、７２穴〜２００穴セルトレイ１に培土を充填し、各セルに１粒〜数粒のムラサキの種子を播種する。また、種子は培土に深さ１ｃｍ未満の孔を開けて播種する。
【０１１０】
播種した箇所に覆土して、再度、培土に水をかけて、１５〜２５℃の温度環境下のハウスにてセルトレイを保管する。種子はハウスへの移動後、１か月程度の期間をかけて発芽させる。ハウス移動後は、種子の表面が乾燥しない程度の頻度で灌水を行う。例えば、１日おき程度の頻度である。発芽したムラサキの苗はそのままセルトレイ上で１か月〜２か月の期間育苗する。この後の栽培工程は、上述した第１の実施の形態における筒栽培や、第２の実施の形態の露地栽培を採用することができる。
【０１１１】
上述した第４の実施の形態では、播種工程で培土にアーバスキュラー菌根菌の胞子を混合させることで、発芽後のムラサキの生育率を高めることができるものとなっている。また、第１の実施の形態と異なり、播種後の培土の湿潤環境下での低温処理を要しないものとなっている。
【０１１２】
以上までで説明した本発明を適用したムラサキの栽培方法では、以下のメリットが存在する。
【０１１３】
本発明を適用したムラサキの栽培方法では、ムラサキの根にアーバスキュラー菌根菌胞子を接種して栽培することにより、有効成分シコニンの含有量を増加させることができる。
【０１１４】
その増加量は１．０％を超える場合もあり、地上部の生育は未接種のものと大差ないので、生育状況による差以外の理由が存在すると考えられる。有効成分シコニンは根の表面部分に蓄積し、ナフトキノン類のシコニンは抗菌活性を示す化合物である。
【０１１５】
シコニンをムラサキのファイトアレキシンであると仮定すると、根は菌糸の侵入に対して抵抗する為にシコニンを増産しているとも考えられる。この仮説が正しければ、アグロバクテリウム属に属するアグロバクテリウム・リゾゲネスなどの菌に感染した場合も同様の結果が生じる可能性があることが考えられる。
【０１１６】
また、ムラサキの根にアーバスキュラー菌根菌胞子を接種して栽培することにより、栽培用筒を用いたハウス栽培および露地栽培のどちらにおいても菌根菌未接種の株よりも枯死率が改善された。この点は、菌根の形成により、水分ストレス抵抗性向上効果や病害抵抗性向上効果が現れたものと考えられる。
【０１１７】
また、本発明の栽培方法では、栽培用筒とハウスを利用することで、ムラサキの生育に適した乾燥した環境を創出しやすいものとなっている。また、ムラサキに与える水分をコントロールしやすく、水分の影響による枯死を生じにくくすることができる。
【０１１８】
また、セルトレイや栽培ポットで苗を形成することで、ムラサキの根を複数本に分岐させやすいものとなっている。また、分岐した根が肥大し、コルク層が発達することで、シコニンの含有量を増加させることができる。一年生や二年生の植物体の長さ７０〜８０ｃｍの根が十数本分岐する場合もある。
【０１１９】
また、露地栽培においても、マルチを使用することで、ムラサキの生育に適した水分環境を創出しやすいものとなっている。更に、ムラサキの根や地上部への雨による影響を減らし、水分をコントロールすることができる。また、白マルチの使用により、畝内部の温度を適切に保ち、高温による温度障害が生じにくいものとなっている。
【０１２０】
更に、播種工程で種子を湿潤状態で保管することで種子の発芽率を高めることができるものとなっている。また、種子に低温処理を施すことで種子の発芽率を高めることができるものとなっている。
【実施例】
【０１２１】
以下、本発明の実施例を説明する。
【０１２２】
本発明の第１の実施の形態によるムラサキの栽培方法によって実施例１〜４を栽培し、アーバスキュラー菌根の形成領域割合の確認、枯死率の測定、シコニン含有量の測定、及び地上部の生育状況の観察を行った。
【０１２３】
また、本発明の第２の実施の形態によるムラサキの栽培方法によって実施例５を栽培し、枯死率の測定、シコニン含有量の測定、及び地上部の生育状況の観察を行った。
【０１２４】
（１）実施例１〜４及び比較例１の栽培
前述した第１の実施の形態のムラサキの栽培方法によって、実施例１〜４のムラサキを栽培した。また、実施例１〜４は、播種を行う培土に単独のＶＡ菌根菌資材を混合したものである。実施例１はセラキンコン、実施例２はＣＫ−１００、実施例３はＤｒキンコン及び実施例４はＶＡ２００をそれぞれ使用した。一方、培土にアーバスキュラー菌根菌胞子を混合しないものを比較例１とした。
【０１２５】
（２）実施例５及び比較例２の栽培
前述した第２の実施の形態のムラサキの栽培方法によって、実施例５のムラサキを栽培した。実施例５は、播種を行う培土に４種類（セラキンコン、ＣＫ−１００、Ｄｒキンコン、ＶＡ２００）のＶＡ菌根菌資材を混合したものである。一方、培土にアーバスキュラー菌根菌胞子を混合せずに、栽培用ポットで育成した苗を同じ露地圃場で栽培したものを比較例２とした。
【０１２６】
（３）アーバスキュラー菌根の形成領域割合の確認
実施例１〜４及び比較例１について、播種から２ヶ月以上経過した時点で、ムラサキの根（シコン）をサンプリングし、トリパンブルー染色を施した後、交点法によりアーバスキュラー菌根の形成領域割合を測定した。以下にその方法を示す。
【０１２７】
ａ）感染根のサンプリング及びトリパンブルー染色
バットに水道水をため，その中に土ごとポットから取り出したシコンを漬け、根をゆるやかにほぐした。ある程度ほぐれてきたら、流水で根に付着した土粒子などを洗い流しながら根を取り出す。この作業は根を切らないように注意深く行った。
サンプリングした根を試験管にいれ、１０％水酸化カリウム（ＫＯＨ）溶液を根が十分浸る程度注いだ。その試験管を沸騰水につけ、根が透明感を持つまで１５分程度加熱する。加熱後、ＫＯＨ溶液を捨て、黄色い色が消失するまで水道水で根をよく洗い、５％の塩酸に約５分間根を浸し、中和した後塩酸を捨てる。その後、１％トリパンブルー溶液を乳酸で２０倍に希釈したものを入れ、沸騰水につけて１０分間加熱し、感染根の染色を行う。染色後トリパンブルー溶液を捨て、ラクトグリセロール溶液（乳酸：グリセロール：水、８５．７：６．３：８．０）を入れて２日以上放置し、脱色した後、顕微鏡を用いて観察を行った。
また、根のサンプリング後、すぐに染色操作を行わない場合は、乾燥しないようチャックつきのビニール袋に保存し、−２０℃で保存した。
ｂ）交点法による菌根の形成領域割合の測定
ラクトグリセロール溶液を少量入れたシャーレに染色した根を広げて入れ、シャーレの下にＯＨＰシートに格子をコピーしたものを敷く。その後、実体顕微鏡を用いて格子の線と根が交わっている部分が感染しているか否かを観察し、それぞれの数をカウントした。
感染根観察方法のイメージを図６に示す。図６中の符号１４はムラサキの根、符号１５は感染が確認できる領域、符号１６は感染が確認されない領域を示すものである。また、菌根の形成領域割合であるＣは式（１）により求める。
Ｃ＝（Ｃｃ／Ｃａ）×１００・・・式（１）
ここで、Ｃは菌根の形成領域割合（％）、Ｃｃは感染の認められた交差数、Ｃａは全交差数を表す。また、Ｃａは１００以上である必要があり、もし１００に満たない場合は、格子の目の粗さを変更し計測をやり直した。格子の目の間隔は、１ｍｍ、２ｍｍ、３ｍｍの３種類を用いた。
【０１２８】
【表１】
0005885320.tif 000002
【０１２９】
表１は、実施例１〜４及び比較例１における菌根の形成領域割合を示した結果である。
実施例１〜４の植物体には、ムラサキの根にアーバスキュラー菌根菌が感染し、アーバスキュラー菌根が形成されていることが確認された。
【０１３０】
（４）枯死率の測定
実施例１〜４及び比較例１について、各種類の植物体を４月中旬に栽培用筒に移植した段階での全体の株数を１００％とし、同年の１０月時点での生育した株数をもって枯死率を算出した。
また、実施例５及び比較例２については、６月２９日にムラサキの苗を露地圃場に移植した段階での全体の株数を１００％とし、同年の８月３０日、９月３０日、１０月２９日及び１２月２日の段階の時点での生育した株数をもって枯死率を算出した。
【０１３１】
【表２】
0005885320.tif 000003
【０１３２】
表２は、実施例１〜４及び比較例１における枯死率を示した結果である。
実施例１〜４の植物体は、いずれも枯死率が低く、ムラサキが充分に生育していることが確認された。比較例１では、枯死率が１０％を超えるものとなっていた。
【０１３３】
【表３】
0005885320.tif 000004
【０１３４】
表３は、実施例５及び比較例２における枯死率を示した結果である。
実施例５の植物体は、各調査段階で比較例２よりも枯死率が充分に低いものとなっていた。比較例２では、枯死率が４０％を超える高いものとなっていた。
【０１３５】
（５）シコニン含有量の測定
以下の方法でサンプルを調製し、液体クロマトグラフ法により試験を行った。
ａ）試料溶液の調整法
１）シコンの根頭部を除き、全体を裁断、乾燥させ均一にした後サンプリングし、ワンダーブレンダーで粉砕する。その後、ふるいにかけ、２５０ｍｇ精秤する。
２）１）にジエチルエーテル５０ｍＬを加え超音波で１０分抽出し、抽出液を回収する。
３）２）と同様の操作を繰り返す。
４）２）と同様の操作を繰り返す。
５）４）に２ＮＮａＯＨ２０ｍＬを加え、３分間震とうする。
６）５）の水層（青色を呈する）を回収し、残ったエーテル層に蒸留水３０ｍＬを加え３分間振とうする。
７）６）の水層を回収し、２ＮＮａＯＨ１０ｍＬを加え３分間振とうし、水層を回収する。
８）回収した水層にジエチルエーテル３０ｍＬ、２ＮＨＣｌ３０ｍＬを加え３分間振とうする。
９）赤色に呈色したジエチルエーテル層を回収し、水層にジエチルエーテルを４０ｍＬ加え振とうし、ジエチルエーテル層を回収する。
１０）回収したジエチルエーテル層を合わせて減圧下、水浴中で溶媒を留去する。
１１）１０）にメタノール１０ｍＬを加え試料溶液とした。
なお、実施例１〜４及び比較例１については一年生の植物体についてｎ＝５で一植物体あたりのシコニン含有量を算出した。また、実施例５及び比較例２の一年生の植物体はｎ＝５、同二年生の植物体はｎ＝３で一植物体あたりのシコニン含有量を算出した。
ｂ）標準溶液の調製法
シコニン標準品を１０ｍｇ精秤し、メタノールで２５ｍＬにメスアップする。
ｃ）液クロ操作条件
検出器：紫外線吸光光度計（波長：２７３ｎｍ）
カラム：Ｗａｋｏｓｉｌ−２  ５Ｃ１８ＨＧ（４．６×１５０ｍｍ）
カラム温度：４０℃
注入量：５μｌ
移動相：アセトニトリル／水＝７／３
流速：１．５ｍｌ／ｍｉｎ
ｄ）含量算出法
シコニンの含有量（％）＝２５×Ｃｓ×Ａｓ／Ｓｓ×試料量（ｍｇ）
Ｃｓ：成分含量測定用シコニンの成分量（ｍｇ）
Ｓｓ：標準物質中のシコニンのピーク面積
Ａｓ：試料に含まれているシコニンのピーク面積
【０１３６】
【表４】
0005885320.tif 000005
【０１３７】
表４は、実施例１〜４及び比較例１における一植物体あたりのシコニン含有量を示した結果である。
実施例１〜４の植物体は、いずれもシコニン含有量が高いものとなっていた。比較例１では、シコニン含有量が１％を下回っていた。
【０１３８】
【表５】
0005885320.tif 000006
【０１３９】
表５は、実施例５及び比較例２における一植物体のシコニン含有量を示した結果である。
実施例５の植物体は、各調査段階で比較例２よりもシコニン含有量が高いものとなっていた。
【０１４０】
（６）地上部の生育状況の観察
実施例１〜４及び比較例１について、栽培用筒で栽培したムラサキの地上部の生育状況を観察した。
また、実施例５及び比較例２について、露地圃場で栽培したムラサキの地上部の生育状況を観察した。
【０１４１】
実施例１〜４及び比較例１では、ムラサキの地上部の生育状況に差異は認められなかった。
また、実施例５及び比較例２では、ムラサキの地上部の生育状況に差異は認められなかった。
【０１４２】
以下、本発明の実施例として、播種工程における手順の違いによる種子の発芽率について示す。
【０１４３】
本発明の第３の実施の形態によるムラサキの栽培方法によってムラサキの種子を播種したものを実施例６〜９とし、発芽率の確認を行った。
【０１４４】
（７）実施例６及び比較例３〜４の栽培
前述した第３の実施の形態のムラサキの栽培方法によって、実施例６のムラサキを栽培した。より詳細には、セルトレイ上の培土に水をかけ、播種して覆土し、更に水をかけ、セルトレイをビニール袋に密封封入し、５℃の低温にて１か月保管した。一方、種子を濡れたガーゼに包んで５℃の低温にて１か月保管したものをセルトレイ上のアーバスキュラー菌根菌胞子を混合した培土に水をかけ播種して覆土したものを比較例４とした。更に、セルトレイ上のアーバスキュラー菌根菌胞子を混合した培土に水をかけ、無処理種子を播種して覆土し、常温にて保管したものを比較例３とした。更に、種子を濡れたガーゼに包んで５℃の低温にて１か月保管したものをセルトレイ上の通常の培土に水をかけ播種して覆土したものを比較例６とした。更に、セルトレイ上の通常の培土に水をかけ、無処理種子を播種して覆土し、常温にて保管したものを比較例５とした。
【０１４５】
（８）実施例７〜９及び比較例７〜８の栽培
前述した第３の実施の形態のムラサキの栽培方法によって、実施例７〜９のムラサキを栽培した。実施例７〜９は、上述した実施例６の方法において、低温保管時の温度のみが異なるものであり、実施例７は０〜３℃の温度範囲、実施例８は３〜７℃の温度範囲及び実施例９は１０℃の温度で保管したものである。一方、同様に、比較例７は−７℃〜−３℃の温度範囲、比較例８は１５℃の温度でセルトレイを保管した。実施例７〜９及び比較例７〜８はいずれもセルトレイをビニール袋で密閉封入している。なお、実施例７、８及び比較例５の温度で示された温度範囲は、各サンプルを保管した冷蔵庫の温度上のばらつきを反映したものである。
【０１４６】
（９）種子の発芽率の確認
実施例６〜９及び比較例３〜８について、セルトレイを１５〜２５℃の温度のハウスに移動し、保管１か月後のセルトレイでの発芽率を確認した。１つのサンプルにつき、２００個の種子を播種し、発芽したムラサキの数から発芽率を算出した。
【０１４７】
【表６】
0005885320.tif 000007
【０１４８】
表６は、実施例６及び比較例３〜４における発芽率を示した結果である。
実施例６では、９０％という高い発芽率が確認された。比較例３〜６では、２０〜３０％という低い発芽率であった。
【０１４９】
【表７】
0005885320.tif 000008
【０１５０】
表７は、実施例７〜９及び比較例５〜６における発芽率を示した結果である。
実施例７〜９では、５０％以上の発芽率を示し、更に実施例８では９０％という高い発芽率が確認された。比較例７〜８では、２０〜２５％という低い発芽率であった。
【０１５１】
以上のように、本発明のムラサキの栽培方法は、ムラサキの生存率を高め、かつ、有効成分の含有量を増加させることが可能なものとなっている。
【符号の説明】
【０１５２】
１      ２００穴セルトレイ
２      セル成型苗
３      栽培用筒
４      筒本体
５      孔
６      底面キャップ
７      補助筒部
８      ハウス
９      畝
１０      ムラサキの根
１１      ポット
１２      ポット
１３      ポット苗
１４      ムラサキの根
１５      感染が確認できる領域
１６      感染が確認されない領域
【要約】
【課題】ムラサキの生存率を高め、かつ、有効成分の含有量を増加させることが可能なムラサキの栽培方法を提供する。
【解決手段】本発明の第１の実施の形態であるムラサキの栽培方法は、ムラサキの種子を播種する播種工程と、苗を育てる育苗工程と、栽培用筒体でムラサキを育てる筒栽培工程を備える。ムラサキの種子を植える播種工程では、アーバスキュラー菌根菌胞子を混合させた培土を使用する。混合するアーバスキュラー菌根菌胞子は、市販の微生物資材を利用することができる。
【選択図】図３【図１】
0005885320.tif 000009
【図２】
0005885320.tif 000010
【図３】
0005885320.tif 000011
【図４】
0005885320.tif 000012
【図５】
0005885320.tif 000013
【図６】
0005885320.tif 000014